(57)【要約】【課題】互いに隣接した複数の部品がコンパクトに固定され、複数の部品を固定するための構造が簡単に設けられる電動工具を提供する。【解決手段】グラインダ１は、複数の部品（スイッチボックス５６，コントローラ５７）が取り付けられるハウジング６（ケース１６）を備えており、ケース１６は、弾性を有する弾性部６８を備えており、弾性部６８は、第１フック部６８ａ及び第２フック部６８ｂを備えており、第１フック部６８ａは、スイッチボックス５６を係止し、第２フック部６８ｂは、コントローラ５７を係止する。【選択図】図４
2019013985.tif 000002
【特許請求の範囲】
【請求項１】
複数の部品が取り付けられるハウジングを備えており、
前記ハウジングは、弾性を有する弾性部を備えており、
前記弾性部は、複数の係止部を備えており、
複数の前記係止部のうちの少なくとも何れか２つは、互いに異なる前記部品を係止する
ことを特徴とする電動工具。
【請求項２】
前記弾性部は、棒状の突起である
ことを特徴とする請求項１に記載の電動工具。
【請求項３】
前記部品のうち少なくとも１つは、電材である
ことを特徴とする請求項１又は請求項２に記載の電動工具。
【請求項４】
複数の前記係止部のうちの少なくとも何れか２つは、互いに前記弾性部における他の部分から突出する方向が異なっている
ことを特徴とする請求項１ないしは請求項３の何れかに記載の電動工具。
【請求項５】
互いに突出する方向の異なった前記係止部のうちの一方の当該方向における前記弾性部の前記係止部以外の部分の寸法と、他方の当該方向における前記弾性部の前記係止部以外の部分の寸法とが同等である
ことを特徴とする請求項４に記載の電動工具。
【発明の詳細な説明】
【技術分野】
【０００１】
本発明は、グラインダ等の電動工具に関する。
【背景技術】
【０００２】
特許第５７０７２６７号公報（特許文献１）のグラインダ１は、モータＭをオン状態とオフ状態に切り替え可能なスイッチＳを有しており、そのスイッチＳは、図１に示されるように、リアカバー５内に配置されたケース（符号なし）に取り付けられている。
ケースは、ケース上部の下面から下方へ棒状に突出する突起を有しており、その突起の下端部は、フック状に形成されている。
そして、スイッチＳは、その後端部がケースの突起と接触し、その後端部の下面が突起のフック部に掛かることで、ケースに固定される。
【先行技術文献】
【特許文献】
【０００３】
【特許文献１】特許第５７０７２６７号公報
【発明の概要】
【発明が解決しようとする課題】
【０００４】
上述のグラインダでは、１つのスイッチＳに対して１つの突起が必要となり、複数の部品に対しては同数の突起が必要となって、複数の部品を互いに隣接して固定する場合には、突起を設けるケースの形成が複雑となり、又複数の突起の形成箇所を確保する分コンパクトではなくなる。
即ち、突起は部品の配置に合わせて設けられる必要があり、又部品の着脱時において一旦退くために弾性や待避スペースを有する必要があるところ、複数の突起を互いに隣接する部品に合わせて形成することは、配置や弾性や待避スペースについて配慮を要して複雑であるし、それぞれの配置や待避スペースの確保により省スペース化が困難である。
そこで、本発明の主な目的は、互いに隣接した複数の部品がコンパクトに固定される電動工具を提供することである。
又、本発明の別の主な目的は、複数の部品を固定するための構造が簡単に設けられる電動工具を提供することである。
【課題を解決するための手段】
【０００５】
上記目的を達成するために、請求項１に記載の発明は、複数の部品が取り付けられるハウジングを備えており、前記ハウジングは、弾性を有する弾性部を備えており、前記弾性部は、複数の係止部を備えており、複数の前記係止部のうちの少なくとも何れか２つは、互いに異なる前記部品を係止することを特徴とするものである。
請求項２に記載の発明は、上記発明において、前記弾性部は、棒状の突起であることを特徴とするものである。
請求項３に記載の発明は、上記発明において、前記部品のうち少なくとも１つは、電材であることを特徴とするものである。
請求項４に記載の発明は、上記発明において、複数の前記係止部のうちの少なくとも何れか２つは、互いに前記弾性部における他の部分から突出する方向が異なっていることを特徴とするものである。
請求項５に記載の発明は、上記発明において、互いに突出する方向の異なった前記係止部のうちの一方の当該方向における前記弾性部の前記係止部以外の部分の寸法と、他方の当該方向における前記弾性部の前記係止部以外の部分の寸法とが同等であることを特徴とするものである。
【発明の効果】
【０００６】
本発明の主な効果は、互いに隣接した複数の部品がコンパクトに固定される電動工具が提供されることである。
又、本発明の別の主な効果は、複数の部品を固定するための構造が簡単に設けられる電動工具が提供されることである。
【図面の簡単な説明】
【０００７】
【図１】本発明の第１形態に係るグラインダの左側面図である。
【図２】図１の縦中央断面図である。
【図３】図２の前部拡大図である。
【図４】図１の一部開蓋右側面図である。
【図５】図４のＡ−Ａ線断面図である。
【図６】図４のＢ−Ｂ線断面図である。
【図７】本発明の第２形態に係るグラインダの一部開蓋右側面図である。
【図８】図７のＣ−Ｃ線断面図である。
【図９】図７のＤ−Ｄ線断面図である。
【図１０】本発明の第３形態に係るグラインダの一部開蓋右側面図である。
【図１１】図１０のＥ−Ｅ線断面図である。
【図１２】図１０のＦ−Ｆ線断面図である。
【発明を実施するための形態】
【０００８】
［第１形態］
以下、本発明の実施の第１形態が適宜図面に基づいて説明される。
図１は、第１形態に係る、電動工具の一例であるグラインダ１の左側面図であり、図２は、グラインダ１の縦中央断面図であり、図３は、図２の前部拡大図である。図２，図３において、配線等の一部内部機構が省略されている。
図１，図２における左がグラインダ１の前であり、これらの図における上がグラインダ１の上であるが、被加工物や作業状況ないし部材の移動等に応じ、方向は適宜変化し得る。
【０００９】
グラインダ１は、前後方向に沿う本体部２と、本体部２の前側に設けられる出力部４を備えている。
本体部２ないし出力部４の外郭は、ハウジング６となっている。
ハウジング６は、本体部２前部の外郭となる筒状の本体ハウジング８と、その後に配置され本体部２後部の外郭となる有底筒状のリアカバー１０と、本体ハウジング８の前に配置される円盤状のベアリングリテーナ１１と、ベアリングリテーナ１１の前に配置されるギヤハウジング１２と、その下に配置されるベアリングリテーナ１４を有している。ギヤハウジング１２及びベアリングリテーナ１４は、出力部４の外郭となっている。
リアカバー１０内には、ケース１６が配置されている。リアカバー１０の後面下部には、ネジ１６ａが、前後方向を向き、ケース１６に形成されたネジ穴部１６ｂのネジ穴に達する状態で入れられている。
ベアリングリテーナ１１とギヤハウジング１２は、本体ハウジング８の前部に対して、共通する複数（４本）のネジ１２ａによって固定されている。
ベアリングリテーナ１４は、ギヤハウジング１２の下部に対して、複数（４本）のネジ１４ａによって固定されている。
本体ハウジング８の前部の上下には、排気口（図示略）が複数開けられており、リアカバー１０の右中央には、吸気口１０ａが複数開けられている。
【００１０】
本体ハウジング８内には、電動のモータ２０が固定されている。本体ハウジング８は、モータ２０を搭載することから、モータハウジングの役割を担う。
モータ２０は、本体ハウジング８に対して固定される円筒状のステータ２２と、ステータ２２の内側に配置されるロータ２４を備えている（インナーロータ）。
ステータ２２は、筒状の電磁石（コイル）である。
ロータ２４は、回転軸（ロータ軸）であるモータ軸３０と、モータ軸３０に一体に固定された複数の鉄心溝を有する回転子鉄心３２と、その鉄心溝に挿入された複数のコイル３４と、を有する。
モータ軸３０の前端部には、ピニオン３６が一体に固定されており、その後側には、モータ軸３０を回転可能に支持するモータ前軸受３８が配置されている。モータ前軸受３８は、ベアリングリテーナ１１の中央部に取り付けられている。
モータ軸３０の後端部には、モータ軸３０を回転可能に支持するモータ後軸受４０が配置されている。モータ後軸受４０の外輪は、モータ後軸受ケース４２を介して、ケース１６（の前部に形成された有底円筒状の軸受保持部１６ｃ）に保持されている。他方、モータ後軸受４０の内輪は、モータ軸３０の後端部に圧入されており、更にその前側に接触するクリップ４２により位置決めされている。
【００１１】
モータ軸３０の前部周辺であって、ベアリングリテーナ１１の後側には、ファン４４が配置されている。ファン４４は、複数枚の羽根を有する遠心ファンであり、ファンコア４６を介して、モータ軸３０に一体に固定されている。
ファン４４の外方には、本体ハウジング８に形成された上述の排気口が配置されている。
ファンコア４６とピニオン３６の間に、モータ前軸受３８の内輪が配置されている。
【００１２】
図４は、リアカバー１０を外した状態のグラインダ１の右側面図であり、図５は、図４のＡ−Ａ線断面図であり、図６は、図４のＢ−Ｂ線断面図（一部）である。
ケース１６の上後部には、電源コード５０の端部が、ネジ５０ａ及びコード押さえ５０ｂを介して固定されている。電源コード５０の端縁は、コードカバー５２により覆われている。
【００１３】
又、ケース１６には、それぞれ電材である、スイッチボックス５６とコントローラ５７とが配置されている。
スイッチボックス５６は、直方体状のスイッチボックス本体６０と、スイッチボックス本体６０から突出した押下可能なボタン６１と、を有している。
スイッチボックス本体６０の上面中央には、左右に延びており周辺部分に対して上方に突出する上リブ６０ａが形成されており、スイッチボックス本体６０の下面中央には、左右に延びており周辺部分に対して下方に突出する下リブ６０ｂが形成されている。
スイッチボックス５６は、ボタン６１が押下される毎に、コントローラ５７を介して、モータ２０のオンオフを切り替える。
コントローラ５７は、ブロック状の部材であり、直方体状のコントローラケース６２内に、モータ２０やスイッチボックス５６を制御するための複数の素子が入れられている。
コントローラケース６２からは、複数（２個）の端子６３が突出しており、コントローラ５７（の素子）は、各端子６３を介して、電源コード５０、モータ２０（各コイル３４）、及びスイッチボックス５６と、図示されない配線により電気的に接続されている。
【００１４】
ケース１６は、ネジ穴部１６ｂと軸受保持部１６ｃの間において、右方へ開放した箱状部１６ｄを有している。尚、ネジ孔部１６ｂ、軸受保持部１６ｃ及び箱状部１６ｄは一体であるが、これらのうちの少なくとも１つが別体であっても良い。
箱状部１６ｄの前下壁部６４は、後下壁部６６より下方に配置されている。
前下壁部６４と後下壁部６６との間には、弾性部６８が配置されている。弾性部６８は、ケース１６の左壁部７０から右方へ突出した柱状であり、弾性を有している。弾性部６８は、前下壁部６４後辺部の上方であって、後下壁部６６の前方に配置されており、後下壁部６６の前方への仮想延長面に含まれるように形成されている。
【００１５】
弾性部６８の中央部には、周囲部分から前方へ突出した第１の係止部としての第１フック部６８ａが形成されており、弾性部６８の右先端部には、周囲部分から上方へ突出した第２の係止部としての第２フック部６８ｂが形成されている。
弾性部６８は、正方形の断面を有する四角柱であり、第１フック部６８ａを除く前後方向の寸法と、第２フック部６８ｂを除く上下方向の寸法が、互いに同等である。
【００１６】
ケース１６における、弾性部６８の第１フック部６８ａより左の部分の前方は、前下壁部６４と、左壁部７０と、軸受保持部１６ｃの底部を含む前壁部７２と、前上壁部７４と、前上壁部７４の後辺部から後上壁部７６までにわたる後壁部７８と、に囲まれている。かように囲まれた部分は、右方に開放されており、スイッチボックス設置スペースＳＳとなっている。
後壁部７８の下方に広がる仮想延長面は、弾性部６８における第１フック部６８ａを除く前面を含んでいる。
前上壁部７４の中央部には、左右に延びる上溝８０が形成されており、前下壁部６４の中央部には、左右に延びる下溝８２が形成されている。
【００１７】
他方、ケース１６における、弾性部６８の第１フック部６８ａより右の部分の上方は、左壁部７０より右方に配置された上げ底左壁部８４と、上げ底左壁部８４の前上部から右方に突出した側面視逆Ｌ字状の前上受け部８６と、上げ底左壁部８４の後下部から右方に突出した側面視Ｌ字状の後下受け部８８と、に囲まれている。かように囲まれた部分は、右方に開放されており、コントローラ設置スペースＳＣとなっている。
上げ底左壁部８４は、スイッチボックス設置スペースＳＳを避けている。又、後下受け部８８及び後下壁部６６は、面状に連続しており、後下受け部８８後部と後下壁部６６後部との間に、上げ底左壁部８４が立てられている。
【００１８】
ケース１６の箱状部１６ｄにおけるスイッチボックス設置スペースＳＳには、スイッチボックス５６（スイッチボックス本体６０）が取り付けられている。
スイッチボックス本体６０の後面であってボタン６１の上方の部分は、後壁部７８と接触している。他方、スイッチボックス本体６０の後面であってボタン６１の下方の部分は、弾性部６８の前面に接触している。スイッチボックス本体６０の右面後辺部には、弾性部６８の第１フック部６８ａが掛かっている。スイッチボックス本体６０は、第１フック部６８ａと左壁部７０とで挟まれることで、ケース１６に取り付けられる。
スイッチボックス本体６０の上リブ６０ａは、前上壁部７４の上溝８０に入り、下リブ６０ｂは、前下壁部６４の下溝８２に入る。
ボタン６１は、後方へ突出している。
尚、スイッチボックス本体６０の前面は、配線スペースの確保等のため、前壁部７２から離れている。
【００１９】
他方、コントローラ設置スペースＳＣには、コントローラ５７（コントローラケース６２）が取り付けられている。取り付けられたコントローラ５７は、スイッチボックス設置スペースＳＳに取り付けられたスイッチボックス５６を覆う。コントローラ５７（コントローラケース６２）の左面は、スイッチボックス５６（スイッチボックス本体６０）の右面と接触するが、接触しなくても良い。
コントローラケース６２の下面には、後下受け部８８の前後方向に向いた部分の上面、及び弾性部６８の上面が接触する。コントローラケース６２の右面中央部には、弾性部６８の第２フック部６８ｂが掛かっている。コントローラケース６２は、第２フック部６８ｂと上げ底左壁部８４（及びスイッチボックス本体６０）とで挟まれることで、ケース１６に取り付けられる。
端子６３は、右方へ突出し、更に下方へ突出している。
【００２０】
スイッチボックス５６のボタン６１は、図示されないスライドアーム機構を介して、スライダ９０により操作される。
スライダ９０は、本体ハウジング８の前端部左側外面において、前後にスライド可能に設けられている。スライダ９０の下部は、本体ハウジング８内に入っており、スライドアーム機構とつながっている。
スライダ９０が前に押されると、スライドアーム機構がボタン６１を押下する。スライダ９０の前方へのスライド量に応じ、ボタン６１の押下量が変化する。スライダ９０は、直接、あるいはスライドアーム機構を介して、後方に付勢されている。
【００２１】
モータ軸３０のピニオン３６は、ギヤハウジング１２内に配置されたベベルギヤ９２に噛み合っている。ベベルギヤ９２は、スピンドル９６に固定されている。
スピンドル９６は、モータ軸３０と略９０°の角度を有するよう、上下方向を向くように配置されている。即ち、スピンドル９６（出力部４の出力軸）は、モータ軸３０に対して略９０°の角度を有しており、グラインダ１は、アングル工具（アングル電動工具）となっている。
スピンドル９６の上部はギヤハウジング１２内に配置され、中央部はベアリングリテーナ１４内に配置され、下部はベアリングリテーナ１４から露出している。
スピンドル９６の上端部は、ギヤハウジング１２に固定されたスピンドル上軸受１００内に入っている。スピンドル９６の中央部は、ベアリングリテーナ１４に固定されたスピンドル下軸受１０４内に入っている。
スピンドル９６の下端部には、クランプ１０６が設けられている。クランプ１０６には、円盤状の砥石（先端工具，図示略）が装着される。ベアリングリテーナ１４の下部には、砥石の周囲（後半）に配置可能なホイールカバー１０８が取り付けられる。尚、図４において、砥石非装着時にクランプ１０６の一部又は全部を覆って保護するクランプカバー１１０が示されている。
【００２２】
かようなグラインダ１は、例えば次のように動作する。
即ち、作業者は、電源コード５０を電源に接続し、スライダ９０を前方にスライドしていくと、スライドアーム機構によりスイッチボックス５６のボタン６１が押され、グラインダ１において、電源コード５０からの電力供給によるモータ２０の駆動が、コントローラ５７の制御のもとで行われる。
コントローラ５７の制御により、ロータ２４（モータ軸３０）が回転し、モータ軸３０の回転により、ファン４４が回転して各排気口から空気が排気され、各吸気口１０ａや、ハウジング６における隙間から、各排気口への空気の流れが形成される。空気の流れによって、モータ２０を始めとするグラインダ１の内部機構が冷却される。
【００２３】
又、モータ軸３０の回転により、ピニオン３６ないしベベルギヤ９２を通じてスピンドル９６が回転する。ピニオン３６の歯数はベベルギヤ９２の歯数より小さいので、スピンドル９６は減速回転する。スピンドル９６の回転により、これに取り付けられた砥石が回転して、砥石を被加工材に当てることで研磨を施すことができる。
作業者は、スライダ９０の前方へのスライドを解除していくと、図示されないスライドアーム機構によるスイッチボックス５６のボタン６１の押下が解除されていき、グラインダ１において、モータ２０への電力供給が停止されてモータ２０が停止される。
【００２４】
モータ２０のオンオフを切り替えるスイッチボックス５６と、モータ２０を制御するコントローラ５７とは、共通の弾性部６８によって係止される。
スイッチボックス５６は、ケース１６に取り付けられる際、弾性部６８が製造者の手等からの外力により後方に倒され、第１フック部６８ａが引っ掛からない状態で、スイッチボックス設置スペースＳＳに入れられる。更に、弾性部６８への外力が解除されて、弾性による後方に倒されない通常位置への復帰が許容され、当該通常位置において、スイッチボックス５６に第１フック部６８ａが掛かる。取り付けられたスイッチボックス５６の取り外しも、取り付けと同様に、第１フック部６８ａを待避させることで行える。
又、コントローラ５７も、スイッチボックス５６と同様に、弾性部６８を下方に倒して第２フック部６８ｂを待避させることで、取り付けられ、あるいは取り外される。
弾性部６８の共通化により、スイッチボックス５６を係止するための第１弾性部、及びコントローラ５７を係止するための第２弾性部がそれぞれ別の箇所において立てられる場合に比べ、弾性部の数が半減して、その分省スペースとなる。
又、強度確保や防塵性確保等の観点から、ケース１６の最外部を箱形状に可及的に近づけることが考慮される場合も存在し、かような場合にはケース１６の最外部（前下壁部６４及び後下壁部６４等）の内面から内方に突出するように弾性を呈する弾性部６８が設けられるところ、かような考慮を要する弾性部６８の設置が１箇所で済むため、強度確保や防塵性確保について配慮された、複数の部品（スイッチボックス５６及びコントローラ５７）を取り付けるための構造が、より一層シンプルになる。
更に、スイッチボックス５６及びコントローラ５７の着脱時に操作すべき箇所が弾性部６８の１箇所となるため、複数の部品の着脱において操作すべき箇所を複数把握する必要がなく、その分着脱作業が容易になる。
【００２５】
以上のグラインダ１は、複数の部品（スイッチボックス５６，コントローラ５７）が取り付けられるハウジング６（ケース１６）を備えており、ケース１６は、弾性を有する弾性部６８を備えており、弾性部６８は、第１フック部６８ａ及び第２フック部６８ｂを備えており、第１フック部６８ａは、スイッチボックス５６を係止し、第２フック部６８ｂは、コントローラ５７を係止する。よって、互いに隣接したスイッチボックス５６及びコントローラ５７がコンパクトに固定され、これらの外側に配置されるハウジング６が細くなり、ハウジング６におけるこれらの外側に位置する部分が把持される部分である場合には作業者によって一層把持され易くなる。又、スイッチボックス５６及びコントローラ５７を固定するための構造が、第１フック部６８ａ及び第２フック部６８ｂを備えた弾性部６８により、簡単に設けられる。
又、弾性部６８は、棒状の突起である。よって、弾性を有し省スペースである弾性部６８が簡単に設置される。
更に、スイッチボックス５６及びコントローラ５７は、電材である。よって、電材がコンパクトに又簡単に取り付けられる。
又更に、第１フック部６８ａが弾性部６８における他の部分から突出する方向は前方であり、第２フック部６８ｂが弾性部６８における他の部分から突出する方向は上方である。よって、第１フック部６８ａにより係止されるスイッチボックス５６の設置スペース（スイッチボックス設置スペースＳＳ）と、第２フック部６８ｂにより係止されるコントローラ５７の設置スペース（コントローラ設置スペースＳＣ）とが、隣接位置に配置されてコンパクトになる。又、スイッチボックス５６を着脱するときは弾性部６８を前方に引き、コントローラ５７を着脱するときは弾性部６８を前方とは異なる下方に引けば良く、それぞれの着脱のために弾性部６８を変形させる方向が異なることとなって、それぞれの着脱が行い易い。更に、弾性部６８が金型で成形される場合であって、金型の抜き方向が弾性部６８における第１フック部６８ａ及び第２フック部６８ｂ以外の部分の方向と同様であるときには、第１フック部６８ａと第２フック部６８ｂとが同じ方向で並ぶと金型が抜き難いところ、第１フック部６８ａと第２フック部６８ｂとが違う方向で並ぶため、金型が抜き易くなり、金型の設計も容易となって、弾性部６８の製造が行い易い。
加えて、第１フック部６８ａが突出する方向である前後方向における弾性部６８の第１フック部６８ａ以外の部分の寸法と、第２フック部６８ｂが突出する方向である上下方向における弾性部６８の第２フック部６８ｂ以外の部分の寸法とが同等である。よって、前後方向ないし上下方向において弾性部６８の弾性力が同等となり、同様の操作力でスイッチボックス５６及びコントローラ５７が着脱される。
【００２６】
［第２形態］
本発明の実施の第２形態に係るグラインダ２０１は、第１形態のグラインダ１と、ケースないしこれに装着される部品の組合せが異なることを除いて同様に成る。第１形態のグラインダ１と同様である部品や部分等については、同じ符号が用いられて適宜説明が省略される。
図７は、第２形態のグラインダ２０１の一部開蓋右側面図であり、図８は、図７のＣ−Ｃ線断面図であり、図９は、図７のＤ−Ｄ線断面図である。
【００２７】
グラインダ２０１のハウジング２０６におけるケース２１６には、スイッチボックス５６とコントローラ５７とコンデンサ２５８とが配置されている。
コンデンサ２５８は、ブロック状の電材であって、コントローラ５７と電気的に接続される。
【００２８】
ケース２１６は、ネジ穴部１６ｂと同様にネジ１６ａを受け入れるネジ穴部２１６ｂと、軸受保持部１６ｃと同様の軸受保持部２１６ｃとの間において、右方へ開放した箱状部２１６ｄを有している。
箱状部２１６ｄは、第１形態の箱状部１６ｄと同様に、前下壁部６４及び後下壁部６６を有している。
前下壁部６４及び後下壁部６６の間には、弾性部２６８が配置されている。弾性部２６８は、ケース１６の左壁部７０から右方へ突出し更に後方へ突出した柱状であり、左右に延びる柱状の弾性部基部２６８ｘと、弾性部基部２６８ｘの右端部から後方へ延びる柱状の弾性部先部２６８ｙとを有していて、弾性を呈している。弾性部基部２６８ｘは、弾性部先部２６８ｙと接続されることを除き、第１形態の弾性部６８と同様である。
【００２９】
弾性部２６８の弾性部基部２６８ｘの中央部には、前方へ突出した第１の係止部としての第１フック部２６８ａが、第１形態の第１フック部６８ａと同様に形成されており、弾性部２６８の弾性部基部２６８ｘの右端部には、上方へ突出した第２の係止部としての第２フック部２６８ｂが、第１形態の第２フック部６８ｂと同様に形成されている。更に、弾性部２６８の弾性部先部２６８ｙの後端部には、左方へ突出した第３の係止部としての第３フック部２６８ｃが形成されている。
弾性部先部２６８ｙは、弾性部基部２６８ｘと同様に、正方形の断面を有する四角柱である。よって、弾性部基部２６８ｘに係る、第１フック部２６８ａを除く前後方向の寸法と、第２フック部２６８ｂを除く上下方向の寸法と、弾性部先部２６８ｙに係る、第３フック部２６８ｂを除く左右方向の寸法とが、互いに同等である。
【００３０】
ケース２１６には、第１形態と同様に、スイッチボックス設置スペースＳＳ及びコントローラ設置スペースＳＣが形成されている。
但し、第２形態に係るケース２１６のコントローラ設置スペースＳＣでは、第１形態に係る側面視で上下と前後に延びるＬ字状の後下受け部８８に代えて、側面視で上下に延びるＩ字状の後受け部２８８が設けられている。
又、ケース２１６ないしその隣接部分における、弾性部先部２６８ｙの第３フック部２６８ａより前の部分の下方は、後下壁部６６の右壁２６６と、弾性部基部２６８ｘの後面上部と、コントローラ設置スペースＳＣ（に設置されたコントローラ５７）の下面と、リアカバー５の下部内面と、に囲まれている。かように囲まれた部分は、後方に開放されており、コンデンサ設置スペースＳＤとなっている。
【００３１】
ケース２１６のスイッチボックス設置スペースＳＳには、スイッチボックス５６（スイッチボックス本体６０）が取り付けられており、コントローラ設置スペースＳＣには、コントローラ５７（コントローラケース６２）が取り付けられている。
更に、ケース２１６のコンデンサ設置スペースＳＤには、コンデンサ２５８が取り付けられている。
スイッチボックス本体６０の右面後辺部には、弾性部２６８の第１フック部２６８ａが掛かっている。スイッチボックス本体６０は、第１フック部２６８ａと左壁部７０とで挟まれることで、ケース２１６に取り付けられる。
コントローラケース６２の下面には、コンデンサ２５８の上面、及び弾性部２６８の上面が接触する。コントローラケース６２の右面中央部には、弾性部２６８の第２フック部２６８ｂが掛かっている。コントローラケース６２は、第２フック部２６８ｂと上げ底左壁部８４（及びスイッチボックス本体６０）とで挟まれることで、ケース２１６に取り付けられる。
コンデンサ２５８の左面は、後下壁部６６の右壁２６６に接触している。コンデンサ２５８の後面右辺部には、弾性部２６８の第３フック部２６８ｃが係っている。コンデンサ２５８は、第３フック部２６８ｃと弾性部２６８の後面とで挟まれることで、ケース２１６に取り付けられる。
【００３２】
スイッチボックス５６と、コントローラ５７と、コンデンサ２５８は、共通の弾性部２６８によって係止される。
スイッチボックス５６は、ケース２１６に取り付けられる際、弾性部２６８の弾性部基部２６８ｘが製造者の手等からの外力により後方に倒され、第１フック部２６８ａが引っ掛からない状態で、スイッチボックス設置スペースＳＳに入れられる。更に、弾性部２６８への外力が解除されて、弾性による通常位置への復帰が許容され、当該通常位置において、スイッチボックス５６に第１フック部２６８ａが掛かる。取り付けられたスイッチボックス５６の取り外しも、取り付けと同様に、第１フック部２６８ａを待避させることで行える。
又、コントローラ５７は、スイッチボックス５６と同様に、弾性部２６８の弾性部基部２６８ｘを下方に倒して第２フック部２６８ｂを待避させることで、取り付けられ、あるいは取り外される。
更に、コンデンサ２５８は、弾性部２６８の弾性部先部２６８ｙを、その前端部を中心として（あるいは更に弾性部基部２６８の左端部を中心として）右方に倒すことで、第３フック部２６８ｂを上方に待避させ、その状態で後方から出し入れすることで、取り付けられ、あるいは取り外される。
弾性部２６８の共通化により、スイッチボックス５６を係止するための第１弾性部、コントローラ５７を係止するための第２弾性部、及びコンデンサ２５８を係止するための第３弾性部がそれぞれ別の箇所において立てられる場合に比べ、弾性部の数が減少して、その分省スペースとなる。
又、強度確保や防塵性確保等の観点から、ケース２１６の最外部を箱形状に可及的に近づけることが考慮される場合も存在し、かような場合にはケース２１６の最外部の内面から内方に突出するように弾性を呈する弾性部２６８が設けられるところ、かような考慮を要する弾性部２６８の設置が１箇所で済むため、強度確保や防塵性確保について配慮された、複数の部品（スイッチボックス５６、コントローラ５７及びコンデンサ２５８）を取り付けるための構造が、より一層シンプルになる。
更に、スイッチボックス５６、コントローラ５７及びコンデンサ２５８の着脱時に操作すべき箇所が弾性部２６８の１箇所となるため、複数の部品の着脱において操作すべき箇所を複数把握する必要がなく、その分着脱作業が容易になる。
【００３３】
以上のグラインダ２０１は、複数の部品（スイッチボックス５６，コントローラ５７，コンデンサ２５８）が取り付けられるハウジング２０６（ケース２１６）を備えており、ケース２１６は、弾性を有する弾性部２６８を備えており、弾性部２６８は、第１フック部２６８ａ、第２フック部２６８ｂ及び第３フック部２６８ｃを備えており、第１フック部２６８ａは、スイッチボックス５６を係止し、第２フック部２６８ｂは、コントローラ５７を係止し、第３フック部２６８ｃは、コンデンサ２５８を係止する。よって、互いに隣接したスイッチボックス５６、コントローラ５７及びコンデンサ２５８がコンパクトに固定され、これらの外側に配置されるハウジング２０６が細くなり、ハウジング２０６におけるこれらの外側に位置する部分が把持される部分である場合には作業者によって一層把持され易くなる。又、スイッチボックス５６、コントローラ５７及びコンデンサ２５８を固定するための構造が、第１フック部２６８ａ、第２フック部２６８ｂ及び第３フック部２６８ｃを備えた弾性部２６８により、簡単に設けられる。
又、弾性部２６８は、棒状の突起である。よって、弾性を有し省スペースである弾性部２６８が簡単に設置される。
更に、スイッチボックス５６、コントローラ５７及びコンデンサ２５８は、電材である。よって、電材がコンパクトに又簡単に取り付けられる。
又更に、第１フック部２６８ａが弾性部２６８における他の部分から突出する方向は前方であり、第２フック部２６８ｂが弾性部２６８における他の部分から突出する方向は上方であり、第３フック部２６８ｃが弾性部２６８における他の部分から突出する方向は左方である。よって、第１フック部２６８ａにより係止されるスイッチボックス５６の設置スペース（スイッチボックス設置スペースＳＳ）と、第２フック部２６８ｂにより係止されるコントローラ５７の設置スペース（コントローラ設置スペースＳＣ）と、第３フック部２６８ｃにより係止されるコンデンサ２５８の設置スペース（コンデンサ設置スペースＳＤ）とが、隣接位置に配置されてコンパクトになる。又、スイッチボックス５６を着脱するときは弾性部２６８を後方に引き、コントローラ５７を着脱するときは弾性部２６８を後方とは異なる下方に引き、コンデンサ２５８を着脱するときは弾性部２６８を後方や下方とは異なる右方へ引けば良く、それぞれの着脱のために弾性部２６８を変形させる方向が異なることとなって、それぞれの着脱が行い易い。更に、弾性部２６８が金型で成形される場合であって、金型の抜き方向が弾性部基部２６８ｘあるいは弾性部先部２６８ｙの方向と同様であるときに、金型が抜き易くなり、金型の設計も容易となって、弾性部２６８の製造が行い易い。
加えて、第１フック部２６８ａが突出する方向である前後方向における弾性部２６８の第１フック部２６８ａ以外の部分の寸法と、第２フック部２６８ｂが突出する方向である上下方向における弾性部２６８の第２フック部２６８ｂ以外の部分の寸法と、第３フック部２６８ｃが突出する方向である左右方向における弾性部２６８の第３フック部２６８ｃ以外の部分の寸法とが同等である。よって、前後方向、上下方向ないし左右方向において弾性部２６８の弾性力が同等となり、同様の操作力でスイッチボックス５６、コントローラ５７及びコンデンサ２５８が着脱される。
【００３４】
［第３形態］
本発明の実施の第３形態に係るグラインダ３０１は、第１形態のグラインダ１と、ケースが異なることを除いて同様に成る。第１形態のグラインダ１と同様である部品や部分等については、同じ符号が用いられて適宜説明が省略される。
図１０は、第３形態のグラインダ３０１の一部開蓋右側面図であり、図１１は、図１０のＥ−Ｅ線断面図であり、図１２は、図１０のＦ−Ｆ線断面図である。
【００３５】
グラインダ３０１のハウジング３０６におけるケース３１６には、スイッチボックス５６とコントローラ５７とが配置されている。
ケース３１６は、ネジ穴部１６ｂと同様にネジ１６ａを受け入れるネジ穴部３１６ｂと、軸受保持部１６ｃと同様の軸受保持部３１６ｃとの間において、右方へ開放した箱状部３１６ｄを有している。
箱状部３１６ｄは、第１形態と同様に上げ底左壁部８４を有しており、上げ底左壁部８４は、その前上部から右方に突出した前後方向の前上受け部３８６、及びその後下部から右方に突出した側面視Ｌ字状の後下受け部８８とつながっている。
そして、箱状部３１６ｄは、第１形態の前上壁部７４と同様である前上壁部３７４を備えている。但し、箱状部３１６ｄの外郭である前上壁部３７４は、それぞれ右面から左方へ延びる前後１対のスリット３７４ａと、それらの間の弾性部３６８を有している。
弾性部３６８は、前上壁部３７４における他の部分と連続しており、当該他の部分における右面から右方へはみ出した柱状となっていて、弾性を呈している。
【００３６】
弾性部３６８の中央部には、下方へ突出した第１フック部３６８ａが形成されており、弾性部３６８の右先端部には、後方へ突出した第２フック部３６８ｂが形成されている。
弾性部３６８は、正方形の断面を有する四角柱であり、第１フック部３６８ａを除く上下方向の寸法と、第２フック部３６８ｂを除く前後方向の寸法が、互いに同等である。
【００３７】
ケース３１６における、弾性部３６８の第１フック部３６８ａより左の部分の下方は、前下壁部６４と、左壁部７０と、前壁部７２と、前上壁部３７４と、前上壁部３７４の後辺部から後上壁部７６までにわたる後壁部７８と、に囲まれている。かように囲まれた部分は、右方に開放されており、スイッチボックス設置スペースＳＳとなっている。
他方、ケース３１６における、弾性部３６８の第１フック部３６８ａより右の部分の後方は、左壁部７０より右方に配置された上げ底左壁部８４と、上げ底左壁部８４とつながる前上受け部３８６及び後下受け部８８と、に囲まれている。かように囲まれた部分は、右方に開放されており、コントローラ設置スペースＳＣとなっている。
【００３８】
ケース３１６の箱状部３１６ｄにおけるスイッチボックス設置スペースＳＳには、スイッチボックス５６（スイッチボックス本体６０）が取り付けられている。
スイッチボックス本体６０の上面前辺部には、弾性部３６８の下面が接触している。スイッチボックス本体６０の右面前辺部には、弾性部３６８の第１フック部３６８ａが掛かっている。スイッチボックス本体６０は、第１フック部３６８ａと左壁部７０とで挟まれることで、ケース１６に取り付けられる。
【００３９】
他方、コントローラ設置スペースＳＣには、コントローラ５７（コントローラケース６２）が取り付けられている。
コントローラケース６２の前面には、弾性部３６８の後面が接触する。コントローラケース６２の右面前辺部には、弾性部３６８の第２フック部３６８ｂが掛かっている。コントローラケース６２は、第２フック部３６８ｂと上げ底左壁部８４（及びスイッチボックス本体６０）とで挟まれることで、ケース３１６に取り付けられる。
【００４０】
スイッチボックス５６とコントローラ５７とは、共通の弾性部３６８によって係止される。
スイッチボックス５６は、ケース３１６に取り付けられる際、弾性部３６８が製造者の手等からの外力により上方に倒され、第１フック部３６８ａが引っ掛からない状態で、スイッチボックス設置スペースＳＳに入れられる。更に、弾性部３６８への外力が解除されて通常位置への復帰が許容され、当該通常位置において、スイッチボックス５６に第１フック部３６８ａが掛かる。取り付けられたスイッチボックス５６の取り外しも、取り付けと同様に、第１フック部３６８ａを待避させることで行える。
又、コントローラ５７も、スイッチボックス５６と同様に、弾性部３６８を前方に倒して第２フック部３６８ｂを待避させることで、取り付けられ、あるいは取り外される。
弾性部３６８の共通化により、スイッチボックス５６を係止するための第１弾性部、及びコントローラ５７を係止するための第２弾性部がそれぞれ別の箇所において立てられる場合に比べ、弾性部の数が半減して、その分省スペースとなる。
又、ケース３１６の最外部に係る前上壁部３７４に弾性部３６８が形成されるため、ケース３１６の最外部が箱形状からその分遠ざかることで第１形態や第２形態に比べて強度や防塵性が比較的に劣るものの、弾性部３６８が前上壁部３７４と一連に設けられて、最外部と別に設けられる第１形態や第２形態に比べて省スペースになるし、設計や製造も一層容易になる。
更に、スイッチボックス５６及びコントローラ５７の着脱時に操作すべき箇所が弾性部３６８の１箇所となるため、複数の部品の着脱において操作すべき箇所を複数把握する必要がなく、その分着脱作業が容易になる。
【００４１】
以上のグラインダ３０１は、複数の部品（スイッチボックス５６，コントローラ５７）が取り付けられるハウジング３０６（ケース３１６）を備えており、ケース３１６は、弾性を有する弾性部３６８を備えており、弾性部３６８は、第１フック部３６８ａ及び第２フック部３６８ｂを備えており、第１フック部３６８ａは、スイッチボックス５６を係止し、第２フック部３６８ｂは、コントローラ５７を係止する。よって、互いに隣接したスイッチボックス５６及びコントローラ５７がコンパクトに固定され、これらの外側に配置されるハウジング３０６が細くなり、ハウジング３０６におけるこれらの外側に位置する部分が把持される部分である場合には作業者によって一層把持され易くなる。又、スイッチボックス５６及びコントローラ５７を固定するための構造が、第１フック部３６８ａ及び第２フック部３６８ｂを備えた弾性部３６８により、簡単に設けられる。弾性部３６８は、ケース３１６の外郭である前上壁部３７４において複数のスリット３７４ａを並べることで形成される。
又、弾性部３６８は、棒状の突起である。よって、弾性を有し省スペースである弾性部３６８が簡単に設置される。
更に、第１フック部３６８ａが弾性部３６８から突出する方向は下方であり、第２フック部３６８ｂが弾性部３６８から突出する方向は後方である。よって、第１フック部３６８ａにより係止されるスイッチボックス５６の設置スペース（スイッチボックス設置スペースＳＳ）と、第２フック部３６８ｂにより係止されるコントローラ５７の設置スペース（コントローラ設置スペースＳＣ）とが、隣接位置に配置されてコンパクトになる。又、スイッチボックス５６を着脱するときは弾性部３６８を上方に引き、コントローラ５７を着脱するときは弾性部３６８を上方とは異なる前方に引けば良く、それぞれの着脱のために弾性部３６８を変形させる方向が異なることとなって、それぞれの着脱が行い易い。更に、弾性部３６８が金型で成形される場合であって、金型の抜き方向が弾性部３６８における第１フック部３６８ａ及び第２フック部３６８ｂ以外の部分の方向と同様であるときに、金型が抜き易くなり、金型の設計も容易となって、弾性部３６８の製造が行い易い。
加えて、第１フック部３６８ａが突出する方向である上下方向における弾性部３６８の第１フック部３６８ａ以外の部分の寸法と、第２フック部３６８ｂが突出する方向である前後方向における弾性部３６８の第２フック部３６８ｂ以外の部分の寸法とが同等である。よって、上下方向ないし前後方向において弾性部３６８の弾性力が同等となり、同様の操作力でスイッチボックス５６及びコントローラ５７が着脱される。
【００４２】
［変更例等］
尚、本発明は、上記形態に限定されるものではない。例えば、上記形態は、次にそれぞれ示す変更例に、適宜変更することができる。
弾性部が４つ以上のフック部を有するようにして、１つの弾性部で４つ以上の部品が取り付けられても良い。
弾性部に係止される複数の部品は、スイッチボックス，コントローラ，コンデンサ以外の電材であっても良いし、全て電材である必要はなく、一部あるいは全部が電材以外の部品であっても良い。
係止部は、フック部に限られず、窪みに入る突起や、突起に入る窪み、ないしはこれらの組合せであっても良い。
ケースの材質は、合成樹脂を始めとする樹脂製であっても良いし、金属製であっても良いし、他の材質であっても良い。
弾性部は、ケース以外のハウジングに設けられても良く、即ちケース以外のハウジングと一体であっても良い。又、弾性部の各フック部の少なくとも何れかが、ケース以外のハウジングと一体であっても良い。
【００４３】
モータのオンオフ操作（スイッチボックスの操作）を行うものに関し、スライドアーム機構に代えて、パドルスイッチが用いられても良い。
モータとスピンドルの間等に、モータのオフ時において回転する部材に対してブレーキをかけるブレーキ機構が設けられても良い。
ハウジングは、リアカバーが本体ハウジングと一体とされたり、本体ハウジングとベアリングリテーナとが共通化されたり、ギヤハウジングとベアリングリテーナとが共通化されたり、本体ハウジングとギヤハウジングが共通化されたり、一部あるいは全部を半割あるいは複数割としたり、ケースとリアカバーが一体化されたりする等、適宜変更可能である。
スイッチボックスのリブ及びそれが入る溝の一部又は全部が省略されたり、スイッチボックスがボタンの押し込み量に応じてモータ軸の速度を変える（例えば押し込み量が大きいほどモータ軸を速く回転させる）ものとされたり、各種の端子が板状ではなくブロック状とされたりする等、各種の機構，部材，部分の数量，形状や材質，取り付け態様，支持態様等は適宜変更されて良い。
グラインダは、商用電源に接続するためのコードを備えた商用電源駆動（ＡＣ）のものに限られず、バッテリ装着部を備えたバッテリ駆動（ＤＣ）のものであっても良い。
更に、本発明は、グラインダのみならず、サンダを始めとする他の電動工具に対して適用することができる。
【符号の説明】
【００４４】
１，２０１，３０１・・グラインダ（電動工具）、６，２０６，３０６・・ハウジング、１６，２１６，３１６・・ケース（ハウジングの一部）、５６・・スイッチボックス（部品，電材）、５７・・コントローラ（部品，電材）、６８，２６８，３６８・・弾性部、６８ａ，２６８ａ，３６８ａ・・第１フック部（係止部）、６８ｂ，２６８ｂ，３６８ｂ・・第２フック部（係止部）、２５８・・コンデンサ（部品，電材）、２６８ｃ・・第３フック部（係止部）、ＳＣ・・コントローラ設置スペース、ＳＳ・・スイッチボックス設置スペース。
【図１】
2019013985.tif 000003
【図２】
2019013985.tif 000004
【図３】
2019013985.tif 000005
【図４】
2019013985.tif 000006
【図５】
2019013985.tif 000007
【図６】
2019013985.tif 000008
【図７】
2019013985.tif 000009
【図８】
2019013985.tif 000010
【図９】
2019013985.tif 000011
【図１０】
2019013985.tif 000012
【図１１】
2019013985.tif 000013
【図１２】
2019013985.tif 000014
【手続補正書】
【提出日】平成30年5月28日(2018.5.28)
【手続補正１】
【補正対象書類名】明細書
【補正対象項目名】００１０
【補正方法】変更
【補正の内容】
【００１０】
本体ハウジング８内には、電動のモータ２０が固定されている。本体ハウジング８は、モータ２０を搭載することから、モータハウジングの役割を担う。
モータ２０は、本体ハウジング８に対して固定される円筒状のステータ２２と、ステータ２２の内側に配置されるロータ２４を備えている（インナーロータ）。
ステータ２２は、筒状の電磁石（コイル）である。
ロータ２４は、回転軸（ロータ軸）であるモータ軸３０と、モータ軸３０に一体に固定された複数の鉄心溝を有する回転子鉄心３２と、その鉄心溝に挿入された複数のコイル３４と、を有する。
モータ軸３０の前端部には、ピニオン３６が一体に固定されており、その後側には、モータ軸３０を回転可能に支持するモータ前軸受３８が配置されている。モータ前軸受３８は、ベアリングリテーナ１１の中央部に取り付けられている。
モータ軸３０の後端部には、モータ軸３０を回転可能に支持するモータ後軸受４０が配置されている。モータ後軸受４０の外輪は、モータ後軸受ケース４２を介して、ケース１６（の前部に形成された有底円筒状の軸受保持部１６ｃ）に保持されている。他方、モータ後軸受４０の内輪は、モータ軸３０の後端部に圧入されており、更にその前側に接触するクリップ４３により位置決めされている。
【手続補正２】
【補正対象書類名】明細書
【補正対象項目名】００１４
【補正方法】変更
【補正の内容】
【００１４】
ケース１６は、ネジ穴部１６ｂと軸受保持部１６ｃの間において、右方へ開放した箱状部１６ｄを有している。尚、ネジ穴部１６ｂ、軸受保持部１６ｃ及び箱状部１６ｄは一体であるが、これらのうちの少なくとも１つが別体であっても良い。
箱状部１６ｄの前下壁部６４は、後下壁部６６より下方に配置されている。
前下壁部６４と後下壁部６６との間には、弾性部６８が配置されている。弾性部６８は、ケース１６の左壁部７０から右方へ突出した柱状であり、弾性を有している。弾性部６８は、前下壁部６４後辺部の上方であって、後下壁部６６の前方に配置されており、後下壁部６６の前方への仮想延長面に含まれるように形成されている。
【手続補正３】
【補正対象書類名】明細書
【補正対象項目名】００２４
【補正方法】変更
【補正の内容】
【００２４】
モータ２０のオンオフを切り替えるスイッチボックス５６と、モータ２０を制御するコントローラ５７とは、共通の弾性部６８によって係止される。
スイッチボックス５６は、ケース１６に取り付けられる際、弾性部６８が製造者の手等からの外力により後方に倒され、第１フック部６８ａが引っ掛からない状態で、スイッチボックス設置スペースＳＳに入れられる。更に、弾性部６８への外力が解除されて、弾性による後方に倒されない通常位置への復帰が許容され、当該通常位置において、スイッチボックス５６に第１フック部６８ａが掛かる。取り付けられたスイッチボックス５６の取り外しも、取り付けと同様に、第１フック部６８ａを待避させることで行える。
又、コントローラ５７も、スイッチボックス５６と同様に、弾性部６８を下方に倒して第２フック部６８ｂを待避させることで、取り付けられ、あるいは取り外される。
弾性部６８の共通化により、スイッチボックス５６を係止するための第１弾性部、及びコントローラ５７を係止するための第２弾性部がそれぞれ別の箇所において立てられる場合に比べ、弾性部の数が半減して、その分省スペースとなる。
又、強度確保や防塵性確保等の観点から、ケース１６の最外部を箱形状に可及的に近づけることが考慮される場合も存在し、かような場合にはケース１６の最外部（前下壁部６４及び後下壁部６６等）の内面から内方に突出するように弾性を呈する弾性部６８が設けられるところ、かような考慮を要する弾性部６８の設置が１箇所で済むため、強度確保や防塵性確保について配慮された、複数の部品（スイッチボックス５６及びコントローラ５７）を取り付けるための構造が、より一層シンプルになる。
更に、スイッチボックス５６及びコントローラ５７の着脱時に操作すべき箇所が弾性部６８の１箇所となるため、複数の部品の着脱において操作すべき箇所を複数把握する必要がなく、その分着脱作業が容易になる。
【手続補正４】
【補正対象書類名】明細書
【補正対象項目名】００２５
【補正方法】変更
【補正の内容】
【００２５】
以上のグラインダ１は、複数の部品（スイッチボックス５６，コントローラ５７）が取り付けられるハウジング６（ケース１６）を備えており、ケース１６は、弾性を有する弾性部６８を備えており、弾性部６８は、第１フック部６８ａ及び第２フック部６８ｂを備えており、第１フック部６８ａは、スイッチボックス５６を係止し、第２フック部６８ｂは、コントローラ５７を係止する。よって、互いに隣接したスイッチボックス５６及びコントローラ５７がコンパクトに固定され、これらの外側に配置されるハウジング６が細くなり、ハウジング６におけるこれらの外側に位置する部分が把持される部分である場合には作業者によって一層把持され易くなる。又、スイッチボックス５６及びコントローラ５７を固定するための構造が、第１フック部６８ａ及び第２フック部６８ｂを備えた弾性部６８により、簡単に設けられる。
又、弾性部６８は、棒状の突起である。よって、弾性を有し省スペースである弾性部６８が簡単に設置される。
更に、スイッチボックス５６及びコントローラ５７は、電材である。よって、電材がコンパクトに又簡単に取り付けられる。
又更に、第１フック部６８ａが弾性部６８における他の部分から突出する方向は前方であり、第２フック部６８ｂが弾性部６８における他の部分から突出する方向は上方である。よって、第１フック部６８ａにより係止されるスイッチボックス５６の設置スペース（スイッチボックス設置スペースＳＳ）と、第２フック部６８ｂにより係止されるコントローラ５７の設置スペース（コントローラ設置スペースＳＣ）とが、隣接位置に配置されてコンパクトになる。又、スイッチボックス５６を着脱するときは弾性部６８を後方に引き、コントローラ５７を着脱するときは弾性部６８を後方とは異なる下方に引けば良く、それぞれの着脱のために弾性部６８を変形させる方向が異なることとなって、それぞれの着脱が行い易い。更に、弾性部６８が金型で成形される場合であって、金型の抜き方向が弾性部６８における第１フック部６８ａ及び第２フック部６８ｂ以外の部分の方向と同様であるときには、第１フック部６８ａと第２フック部６８ｂとが同じ方向で並ぶと金型が抜き難いところ、第１フック部６８ａと第２フック部６８ｂとが違う方向で並ぶため、金型が抜き易くなり、金型の設計も容易となって、弾性部６８の製造が行い易い。
加えて、第１フック部６８ａが突出する方向である前後方向における弾性部６８の第１フック部６８ａ以外の部分の寸法と、第２フック部６８ｂが突出する方向である上下方向における弾性部６８の第２フック部６８ｂ以外の部分の寸法とが同等である。よって、前後方向ないし上下方向において弾性部６８の弾性力が同等となり、同様の操作力でスイッチボックス５６及びコントローラ５７が着脱される。
【手続補正５】
【補正対象書類名】明細書
【補正対象項目名】００２９
【補正方法】変更
【補正の内容】
【００２９】
弾性部２６８の弾性部基部２６８ｘの中央部には、前方へ突出した第１の係止部としての第１フック部２６８ａが、第１形態の第１フック部６８ａと同様に形成されており、弾性部２６８の弾性部基部２６８ｘの右端部には、上方へ突出した第２の係止部としての第２フック部２６８ｂが、第１形態の第２フック部６８ｂと同様に形成されている。更に、弾性部２６８の弾性部先部２６８ｙの後端部には、左方へ突出した第３の係止部としての第３フック部２６８ｃが形成されている。
弾性部先部２６８ｙは、弾性部基部２６８ｘと同様に、正方形の断面を有する四角柱である。よって、弾性部基部２６８ｘに係る、第１フック部２６８ａを除く前後方向の寸法と、第２フック部２６８ｂを除く上下方向の寸法と、弾性部先部２６８ｙに係る、第３フック部２６８ｃを除く左右方向の寸法とが、互いに同等である。
【手続補正６】
【補正対象書類名】明細書
【補正対象項目名】００３２
【補正方法】変更
【補正の内容】
【００３２】
スイッチボックス５６と、コントローラ５７と、コンデンサ２５８は、共通の弾性部２６８によって係止される。
スイッチボックス５６は、ケース２１６に取り付けられる際、弾性部２６８の弾性部基部２６８ｘが製造者の手等からの外力により後方に倒され、第１フック部２６８ａが引っ掛からない状態で、スイッチボックス設置スペースＳＳに入れられる。更に、弾性部２６８への外力が解除されて、弾性による通常位置への復帰が許容され、当該通常位置において、スイッチボックス５６に第１フック部２６８ａが掛かる。取り付けられたスイッチボックス５６の取り外しも、取り付けと同様に、第１フック部２６８ａを待避させることで行える。
又、コントローラ５７は、スイッチボックス５６と同様に、弾性部２６８の弾性部基部２６８ｘを下方に倒して第２フック部２６８ｂを待避させることで、取り付けられ、あるいは取り外される。
更に、コンデンサ２５８は、弾性部２６８の弾性部先部２６８ｙを、その前端部を中心として（あるいは更に弾性部基部２６８の左端部を中心として）右方に倒すことで、第３フック部２６８ｃを右方に待避させ、その状態で後方から出し入れすることで、取り付けられ、あるいは取り外される。
弾性部２６８の共通化により、スイッチボックス５６を係止するための第１弾性部、コントローラ５７を係止するための第２弾性部、及びコンデンサ２５８を係止するための第３弾性部がそれぞれ別の箇所において立てられる場合に比べ、弾性部の数が減少して、その分省スペースとなる。
又、強度確保や防塵性確保等の観点から、ケース２１６の最外部を箱形状に可及的に近づけることが考慮される場合も存在し、かような場合にはケース２１６の最外部の内面から内方に突出するように弾性を呈する弾性部２６８が設けられるところ、かような考慮を要する弾性部２６８の設置が１箇所で済むため、強度確保や防塵性確保について配慮された、複数の部品（スイッチボックス５６、コントローラ５７及びコンデンサ２５８）を取り付けるための構造が、より一層シンプルになる。
更に、スイッチボックス５６、コントローラ５７及びコンデンサ２５８の着脱時に操作すべき箇所が弾性部２６８の１箇所となるため、複数の部品の着脱において操作すべき箇所を複数把握する必要がなく、その分着脱作業が容易になる。
【手続補正７】
【補正対象書類名】図面
【補正対象項目名】図２
【補正方法】変更
【補正の内容】
【図２】
2019013985.tif 000015